(57)【要約】【課題】デジタルカメラの撮影画像を保存する画像ファイルの秘密保守を可能とする。【解決手段】ＳＤカードに記録されたＪＰＥＧフォーマットの画像ファイルの非表示設定が指定されたら、パスワードを入力させる（Ｓ２００）。画像ファイルのヘッダ部のＳＯＩマーカで始まるセグメントにＪＰＥＧファイルであることを示すデータ以外のデータ、例えば値「００００」を格納する（Ｓ２０２）。画像ファイルのヘッダ部に、非表示を設定したことを示す識別子とパスワードを格納する（Ｓ２０４）。【選択図】        図６
2004312240.tif 000002
【特許請求の範囲】
【請求項１】
撮影された画像を所定フォーマットの画像ファイルとして保存する保存手段と、
前記画像ファイルの再生防止を設定する再生防止設定手段と、
前記画像ファイルの再生防止を解除する再生防止解除手段とを備え、
前記再生防止設定手段は、前記画像ファイルにおいて、前記所定フォーマットの画像ファイルであることを示すデータが格納される第１の領域に前記所定フォーマットの画像ファイルであることを示すデータ以外のデータを格納し、
前記再生防止解除手段は、前記第１の領域に前記所定フォーマットの画像ファイルであることを示すデータを格納することを特徴とするデジタルカメラ。
【請求項２】
前記所定フォーマットの画像ファイルはＪＰＥＧ形式ファイルであって、前記第１の領域は、前記ＪＰＥＧ形式ファイルのヘッダ部のＳＯＩマーカで始まるセグメントであることを特徴とする請求項１に記載のデジタルカメラ。
【請求項３】
パスワード入力手段を有し、
前記再生防止解除手段は、再生防止を解除するとき前記パスワード入力手段により入力されるパスワードと、前記再生防止設定手段により前記画像ファイルの再生防止が設定されたとき前記パスワード入力手段により入力されたパスワードとが一致する場合、前記画像ファイルの再生防止を解除することを特徴とする請求項１に記載のデジタルカメラ。
【請求項４】
前記パスワードが前記画像ファイルに予め用意された任意書き込み可能な第２の領域に格納されることを特徴とする請求項３に記載のデジタルカメラ。
【請求項５】
前記所定フォーマットの画像ファイルはＥｘｉｆ形式ファイルであって、前記第２の領域はヘッダ部のアプリケーション・マーカで始まるセグメントの画像ユニークＩＤフィールドであることを特徴とする請求項４に記載のデジタルカメラ。
【請求項６】
前記再生防止設定手段は、前記パスワードを前記第１の領域に格納することを特徴とする請求項３に記載のデジタルカメラ。
【請求項７】
前記所定フォーマットの画像ファイルはＪＰＥＧ形式ファイルであって、前記再生防止設定手段は、前記パスワードを前記画像ファイルのヘッダ部のＳＯＩマーカで始まるセグメントに格納することを特徴とする請求項６に記載のデジタルカメラ。
【請求項８】
前記再生防止設定手段は、前記画像ファイルの前記ヘッダ部の第３の領域に、再生防止の設定がされたことを示す識別子を格納することを特徴とする請求項１に記載のデジタルカメラ。
【請求項９】
前記画像ファイルは、撮影に使用したカメラ固有の情報を格納する第４の領域を有し、
前記再生防止解除手段は、前記カメラ固有の情報と、前記再生防止解除手段を備える前記デジタルカメラの固有の情報とが一致したときのみ、動作可能となることを特徴とする請求項１に記載のデジタルカメラ。
【請求項１０】
撮影された画像を所定フォーマットの画像ファイルとして保存する保存手段と、
前記画像ファイルの再生防止を設定する再生防止設定手段と、
前記画像ファイルの再生防止を解除する再生防止解除手段とを備え、
前記再生防止設定手段は、前記画像ファイルにおいて、前記画像ファイルのヘッダ部に格納されている、前記所定フォーマットのファイルであることを示すデータを変更し、
前記再生防止解除手段は、前記ヘッダ部に前記所定フォーマットのファイルであることを示すデータを格納することを特徴とするデジタルカメラ。
【発明の詳細な説明】
【０００１】
【発明の属する技術分野】
本発明はデジタルカメラに関し、特にデジタルカメラで撮影された画像のファイル管理に関する。
【０００２】
【従来の技術】
従来、デジタルカメラで撮影した画像は、デジタルカメラ内のメモリに記憶される。メモリに記憶された画像データは、デジタルカメラの再生機能によりカメラ筐体の背面ディスプレイに再現することができる。また、メモリの画像データは、デジタルカメラに着脱自在に装着されるＭＭＣカード、ＳＤカード等の外部記録媒体に記録することもできる。外部記録媒体をパソコンに接続することにより、画像データをパソコンのハードディスクに保存したり、モニタに再現することが可能である。これらのメモリや記録媒体への記録は所定のフォーマット、例えばＪＰＥＧフォーマットで行われる。
【０００３】
【発明が解決しようとする課題】
通常、パソコン等で管理されるファイルは、ＯＳレベル若しくはアプリケーションレベルで、非表示の設定・解除をすることができる。設定・解除をパスワードの入力と組み合わせることにより、他人に操作されては困るファイルのセキュリティが保障される。ところが、従来のデジタルカメラには、撮影画像を保存する画像ファイルに対し、非表示の設定・解除をする機能が備えられていない。すなわち、他人に見られたくない画像データを不可視とすることができず、秘密保守の面で問題があった。
【０００４】
本発明は以上の問題を解決するものであり、デジタルカメラで撮影した画像ファイルの秘密保守を可能とすることを目的とする。
【０００５】
【課題を解決するための手段】
本発明に係るデジタルカメラは、撮影された画像を所定フォーマットの画像ファイルとして保存する保存手段と、画像ファイルの再生防止を設定する再生防止設定手段と、画像ファイルの再生防止を解除する再生防止解除手段とを備え、再生防止設定手段は、画像ファイルにおいて、所定フォーマットの画像ファイルであることを示すデータが格納される第１の領域に所定フォーマットの画像ファイルであることを示すデータ以外のデータを格納し、再生防止解除手段は、第１の領域に所定フォーマットの画像ファイルであることを示すデータを格納することを特徴とする。
【０００６】
所定フォーマットの画像ファイルは、例えばＪＰＥＧ形式ファイルであって、上述の第１の領域は、ＪＰＥＧ形式ファイルのヘッダ部のＳＯＩマーカで始まるセグメントである。
【０００７】
好ましくは、パスワード入力手段を有し、再生防止解除手段は、再生防止を解除するときパスワード入力手段により入力されるパスワードと、再生防止設定手段により画像ファイルの再生防止が設定されたときパスワード入力手段により入力されたパスワードとが一致する場合、画像ファイルの再生防止を解除する。パスワードは、例えば画像ファイルに予め用意された任意書き込み可能な第２の領域に格納される。あるいは、再生防止設定手段が、パスワードを第１の領域に格納する。
【０００８】
所定フォーマットの画像ファイルは、例えばＪＰＥＧ準拠のＥｘｉｆ形式ファイルであって、上述の第２の領域はヘッダ部のアプリケーション・マーカで始まるセグメントの画像ユニークＩＤフィールドである。
【０００９】
所定フォーマットの画像ファイルは、例えばＪＰＥＧ形式ファイルであって、再生防止設定手段は、パスワードを画像ファイルのヘッダ部のＳＯＩマーカで始まるセグメントに格納する。
【００１０】
好ましくは、再生防止設定手段は、画像ファイルのヘッダ部の第３の領域に、再生防止の設定がされたことを示す識別子を格納する。
【００１１】
好ましくは、画像ファイルは、撮影に使用したカメラ固有の情報を格納する第４の領域を有し、再生防止解除手段は、カメラ固有の情報と、再生防止解除手段を備えるデジタルカメラの固有の情報とが一致したときのみ、動作可能となる。
【００１２】
また、本発明に係るデジタルカメラは、撮影された画像を所定フォーマットの画像ファイルとして保存する保存手段と、画像ファイルの再生防止を設定する再生防止設定手段と、画像ファイルの再生防止を解除する再生防止解除手段とを備え、再生防止設定手段は、画像ファイルにおいて、画像ファイルのヘッダ部に格納されている、所定フォーマットのファイルであることを示すデータを変更し、再生防止解除手段は、ヘッダ部に所定フォーマットのファイルであることを示すデータを格納することを特徴とする。
【００１３】
以上のように、本発明によれば、デジタルカメラで撮影された画像のファイルの再生防止設定手段と、再生防止解除手段とを備えるため、他人に見せたくないファイルの秘密が保持される。
【００１４】
画像ファイルの再生防止をパスワードを介して解除することにより、画像ファイルの秘密保守の信頼性がより向上する。
【００１５】
【発明の実施の形態】
以下、本発明の実施の形態を図面を参照して説明する。図１は、本発明に係る実施形態が適用されるデジタルカメラとＳＤカードのブロック図である。デジタルカメラ１のマイクロコンピュータ１０は、デジタル信号を高速に処理する画像処理専用ＤＳＰを内蔵した公知のプロセッサであり、ＣＰＵ、ＲＡＭ、ＲＯＭ等から構成される。マイクロコンピュータ１０はデジタルカメラ１全体の制御を行う。マイクロコンピュータ１０には、測光スイッチ２０及びレリーズスイッチ３０が接続されており、それぞれのオン・オフ信号が入力される。デジタルカメラ１の筐体に設けられるレリーズボタン（図示せず）が半押しされると測光スイッチ２０がオンとなり、マイクロコンピュータ１０の制御に基づいて測光処理が実行される。レリーズボタンが全押しされるとレリーズスイッチ３０がオンとなり、撮影処理が開始される。
【００１６】
ＣＣＤ４０の受光面には撮影光学系５０により被写体の光学像が結像させられる。レリーズスイッチ３０がオンとなり、撮影処理が開始されると、被写体の光学像はＣＣＤ４０において光電変換され、アナログ画像信号としてＣＤＳ／ＡＤユニット回路６０に入力される。ＣＤＳ／ＡＤユニット回路６０により、アナログ画像信号はＣＣＤ４０から発生するアナログ雑音やリセット雑音が低減され、デジタル画像信号に変換される。デジタル画像信号はマイクロコンピュータ１０に入力される。
【００１７】
マイクロコンピュータ１０に入力されたデジタル画像信号は、所定の画像信号処理が施される。画像信号処理が施されたデジタル画像信号は、１フレーム単位の画像データとしてＲＡＭ７０に格納される。
【００１８】
マイクロコンピュータ１０には、デジタルカメラ１の筐体に設けられた各種の操作ボタンに連動する操作ボタンスイッチ群７５が接続されている。操作ボタンスイッチ群７５のオン・オフ状態に応じたマイクロコンピュータ１０の制御に基き、ＲＡＭ７０の画像データのＳＤカード９０への書き込み、ＬＣＤ１００における再生等が実行される。
【００１９】
コネクタ１５を介してデジタルカメラ１に装着されるＳＤカード９０はコントローラ９１とフラッシュメモリ９２を内蔵する。マイクロコンピュータ１０からコントローラ９１へ、コマンド、画像データ等が伝送される。コントローラ９１は、伝送されてきたコマンドに応じた処理を実行し、例えば画像データ等のフラッシュメモリ９２への書込み等を行う。尚、マイクロコンピュータ１０とコントローラ９１との間の通信はＳＰＩモードで行われる。
【００２０】
マイクロコンピュータ１０には、デジタルカメラ１の筐体に設けられるモードダイヤルに連動するモードスイッチ１１０が接続されている。モードダイヤルは、撮影モード、非撮影モードを選択するためのダイヤルである。モードダイヤルで撮影モードが選択されると、モードスイッチ１１０はオンとなる。
【００２１】
後述する操作ボタン群８０を適宜操作することにより、撮影画像の画像ファイルの表示、非表示の設定が行われる。非表示の設定がされた画像ファイルは、ＬＣＤ１００において再生することはできない。また、非表示の設定がされた画像ファイルをＳＤカード９０に記録し、デジタルカメラ以外の他の装置、例えばパソコン等に装着しても、再生することはできない。
【００２２】
図２は、デジタルカメラの筐体の背面の構成を模式的に示す図である。ＬＣＤ１００の上部には光学ファインダ１２０が設けられる。ＬＣＤ１００の右側には、操作ボタン群８０が配設される。操作ボタン群８０はメニューボタン８１、十字キー８２、及び十字キー８２の中央のＯＫボタン８３を有する。十字キー８２は、矩形に成形された部材の４つの角部にそれぞれボタンが位置する部材である。
【００２３】
図３は、ＳＤカード９０に格納された画像ファイルの再生ルーチンの処理手順を示すフローチャートである。ステップＳ１００において、ＳＤカード９０からファイルが読み出される。次いで、ステップＳ１０２において、読み出したファイルのファイル名の拡張子がチェックされる。上述のように、本実施形態が適用されるデジタルカメラでは、画像ファイルはＪＰＥＧフォーマット、より具体的にはＪＰＥＧフォーマットに準拠したＥｘｉｆフォーマットであり、撮影画像はＥｘｉｆフォーマットで保存される。従って、Ｓ１００で読み出されたファイルが画像ファイルであれば、拡張子として「ｊｐｇ」が付与されている。読み出されたファイルの拡張子が「ｊｐｇ」であることが確認されたらステップＳ１０４へ進む。読み出されたファイルの拡張子が「ｊｐｇ」ではないとき、本ルーチンは終了する。
【００２４】
ステップＳ１０４では、画像ファイルのヘッダの先頭セグメントがチェックされる。ここで、ＪＰＥＧフォーマットと、ＪＰＥＧフォーマットに準拠するＥｘｉｆフォーマットの画像ファイルについて説明する。ＪＰＥＧフォーマット及びＥｘｉｆフォーマットの画像ファイルは、図４の左側に示す構成を有する。すなわち、画像データを伸張するための情報を含むヘッダ部Ｈ１と、画像データをＤＣＴ変換、量子化、エントロピ圧縮して得られるデータ部Ｄ１とで構成される。ヘッダ部Ｈ１の先頭セグメントは、ファイルの始まりを示す「ＳＯＩ（Ｓｔａｒｔ  ｏｆ  Ｉｍａｇｅ）」マーカであり、ＪＰＥＧファイルであることを示す「ＦＦＤ８」（１６進数）が格納されている。ヘッダ部において「ＳＯＩ」の直後には「ＡＰＰ１」（アプリケーション・マーカセグメント１）が続く。図４の右側に示すように、Ｅｘｉｆフォーマットにおいては、この「ＡＰＰ１」のフィールド内に書き込む情報が規定されており、「０ｔｈ  ＩＦＤ  Ｖａｌｕｅ」には、デジタルカメラのメーカ名、機器モデル名が格納される。「ＡＰＰ１」のフィールド「Ｅｘｉｆ  ＩＦＤ」には画像ユニークＩＤが含まれる。画像ユニークＩＤは、任意のデータを書き込むことが可能なフィールドである。
【００２５】
ステップＳ１０４では、ＳＯＩの値が「ＦＦＤ８」であるかチェックされる。ＳＯＩの値が「ＦＦＤ８」であることが確認されたらステップＳ１０６へ進む。ステップＳ１０６では、画像ファイルの圧縮されていたデータ部Ｄ１が伸長され、その結果、図５に示すようにＬＣＤ１００に撮影画像が表示される。
【００２６】
次いで、図３のステップＳ１０８では、表示されている画像に対して非表示設定が選択されたかチェックされる。非表示設定の選択は以下のように行われる。図５の状態でメニューボタン８１が押されると、図６に示す詳細設定ダイアログ２０１がＬＣＤ１００に表示される。詳細設定ダイアログ２０１には複数の設定項目が表示され、設定項目の中には「非表示設定」が含まれる。十字キー８２の上下のボタンの操作に応じてカーソルが移動し項目の選択が行われ、ＯＫボタン８３を押すことにより選択が確定される。
【００２７】
設定項目の中の「非表示設定」を選択すると、図７に示す非表示設定ダイアログ２０３が表示される。非表示設定ダイアログ２０３ではパスワードの入力が要求される。パスワードは４桁の英数字の組合せで構成される。パスワードの入力は、十字キー８２及びＯＫボタン８３を適宜操作することにより行われる。十字キー８２の左右のボタンで値を入力する桁の移動を行い、上下のボタンで値のカウントアップ、カウントダウンを行うよう構成する。パスワードが入力されたら、ＯＫボタン８３で決定する。
【００２８】
入力されたパスワードがＯＫボタン８３の押下しにより決定されると、図３のステップＳ１０８において非表示設定が選択されたと判断される。非表示設定が選択されていないことが確認されたら、本ルーチンは終了する。非表示設定が選択されたことが確認されたら、ステップＳ１１０へ進み、非表示設定処理サブルーチンが実行される。
【００２９】
図８は、非表示設定処理サブルーチンの処理手順を示すフローチャートである。ステップＳ２００において、上述の非表示設定ダイアログ２０３のパスワードの入力が確認されたら、ステップＳ２０２において、「ＦＦＤ８」以外の値、例えば「００００」を画像ファイルのヘッダ部Ｈ１のＳＯＩ（図４参照）に書き込む。これにより、ＪＰＥＧフォーマットの画像ファイルを扱う各種アプリケーションではこの画像ファイルをオープンすることが不可能となる。すなわち、拡張子（ｊｐｇ）はそのままであるため、画像ファイルの存在は確認できても、当該画像ファイルを再生することは防止される。次いでステップＳ２０４へ進み、非表示が設定されたことを示す識別子（以下、「非表示識別子」）、及びステップＳ２００で入力されたパスワードをヘッダ部Ｈ１の画像ユニークＩＤ（図３参照）に書き込む。非表示識別子を書き込むのは、ＳＯＩに「ＦＦＤ８」以外の値が存在するのが、本ルーチンの処理によるものなのか、他の要因によりヘッダ部Ｈ１が破壊されたことによるものなのかを区別するためである。また、パスワードを書き込むのは、後述する非表示解除処理で用いるためである。
【００３０】
次いで、ステップＳ２０６へ進み、ヘッダ部の一部が変更された画像ファイルがＳＤカード９０に書き込まれる。ステップＳ２０６の処理が終了したら、図３のステップＳ１１０へ戻り、次いでステップＳ１１２へ進む。ステップＳ１１２では、ＬＣＤ１００から画像が消され、代わりに非表示設定されたことを示すメッセージが表示される（図９参照）。
【００３１】
ステップＳ１０４で、ＳＯＩの値が「ＦＦＤ８」ではないことが確認されたら、ステップＳ１１４へ進む。ステップＳ１１４では、画像ユニークＩＤに非表示識別子が書き込まれているかチェックする。非表示識別子が書き込まれていることが確認されたらステップＳ１１６へ進む。ステップＳ１１６では、画像ファイルのヘッダ部Ｈ１のＡＰＰ１の「０ｔｈ  ＩＦＤ」（図４参照）に格納されているデジタルカメラのメーカ名と機器モデル名をチェックする。「０ｔｈ  ＩＦＤ」のメーカ名と機器モデル名が、ＳＤカード９０が装着されているデジタルカメラのものと一致することが確認されたら、ステップＳ１１８へ進む。
【００３２】
ステップＳ１１８では、図９に示すように、ＳＤカード９０から読み出された画像ファイルが非表示設定されたファイルであることを示すメッセージがＬＣＤ１００に表示される。次いで、ステップＳ１２０において、非表示の解除が選択されたかチェックされる。非表示解除の選択は以下のように行われる。図１０に示すように詳細設定ダイアログ２０１において、「非表示解除」を選択すると、図１１に示す非表示解除ダイアログ２０４が表示され、パスワードの入力が要求される。パスワードの入力は、表示設定ダイアログ２０３と同様の態様で行われる。ＯＫボタン８３の押下しにより「非表示解除」が選択されたことが確認されたらステップＳ１２２へ進み、非表示解除サブルーチンが実行される。
【００３３】
図１２は、非表示解除サブルーチンの処理手順を示すフローチャートである。ステップＳ３００において、非表示解除ダイアログにおけるパスワードの入力が確認されたら、ステップＳ３０２へ進む。ステップＳ３０２では、入力されたパスワードが、画像ユニークＩＤに書き込まれているパスワードと一致するかチェックされる。両方のパスワードが一致することが確認されたら、ステップＳ３０４へ進む。ステップＳ３０４では、ＳＯＩに「ＦＦＤ８」が書き込まれる。これにより、ＪＰＥＧフォーマットの画像ファイルを扱う各種アプリケーションにより、この画像ファイルを表示することが可能となる。
【００３４】
次いでステップＳ３０６へ進み、画像ユニークＩＤの領域がクリアされる。そしてステップＳ３０８へ進み、ヘッダ部Ｈ１が変更された画像ファイルがＳＤカード９０に上書きされ、本サブルーチンは終了する。
【００３５】
非表示解除サブルーチンが終了したら図３のステップＳ１２２へ戻り、次いでステップＳ１２４へ進む。ステップＳ１２４では、非表示が解除された画像ファイル、すなわち再生防止が解除された画像ファイルがＬＣＤ１００に再生される（図５参照）。
【００３６】
一方、ステップＳ１１４において、非表示識別子が書き込まれていないことが確認されたら、ステップＳ１２６へ進む。また、ステップＳ１１６において、「０ｔｈ  ＩＦＤ」のメーカ名と機器モデル名が、ＳＤカード９０が装着されているデジタルカメラのものと一致しないことが確認されたら、ステップＳ１２６へ進む。ＳＯＩの値が「ＦＦＤ８」ではなく、かつ画像ユニークＩＤに非表示識別子が書き込まれていない場合とは、上述の非表示設定サブルーチンによる処理以外の要因で、画像ファイルが破壊された場合であり、処理不可能である。また、メーカ名と機器モデル名が一致しない場合、ＳＤカード９０が装着されているデジタルカメラでは、ＳＤカード９０の画像ファイルを処理することはできない。従って、ステップＳ１２６では、エラーメッセージを表示する。
【００３７】
以上のように、本実施形態によれば、ＪＰＥＧフォーマット・Ｅｘｉｆフォーマットの画像ファイルに非表示の設定がされると、ヘッダ部Ｈ１のＳＯＩの値がＪＰＥＧファイルであることを示す「ＦＦＤ８」以外の値に書き換えられる。その結果、非表示設定された画像ファイルは、ＳＤカード９０が装着されるデジタルカメラのＬＣＤ１００に再生されないのはもちろんのこと、パソコン等の他の装置で動作するＪＰＥＧファイルを扱うアプリケーションによっても、再生不可能となる。従って、他人には見られたくない画像データの秘密が保持される。
【００３８】
また、非表示設定されたＥｘｉｆフォーマットの画像ファイルのヘッダ部Ｈ１の画像ユニークＩＤには非表示識別子が格納される。従って、ＳＯＩの値が「ＦＦＤ８」ではないとき、非表示設定されてたことによるものなのか、あるいは他の要因により画像ファイルが破壊されているのかを区別することができる。
【００３９】
本実施形態では、非表示が設定されたとき、画像ファイルのヘッダ部Ｈ１のＳＯＩに「００００」を書き込んでいるが（図８のステップＳ２０２）、これに限るものではない。非表示設定サブルーチンのステップＳ２００で入力されるパスワードをＳＯＩに書き込む処理としてもよい。これにより、画像ユニークＩＤにパスワードを格納する処理を省略することができる。この場合、非表示解除サブルーチンのステップＳ３０２において、ステップＳ３００で入力されるパスワードがＳＯＩの値と比較される。
【００４０】
本実施形態では、ＳＤカード９０に記録された画像ファイルの再生防止の設定及び解除を例にとって説明したが、ＲＡＭ７０に格納された画像ファイルの再生防止の設定及び解除も同様に行われる。
【００４１】
【発明の効果】
以上のように、本発明によれば、所定フォーマットで記録された画像ファイルの管理において秘密保守の信頼性が向上する。
【図面の簡単な説明】
【図１】本発明に係る実施形態が適用されるデジタルカメラのブロック図である。
【図２】デジタルカメラの筐体の背面を模式的に示す図である。
【図３】ＳＤカードに記録された画像ファイルの再生ルーチンの処理手順を示すフローチャートである。
【図４】Ｅｘｉｆフォーマットの画像ファイルのデータ構造を示す図である。
【図５】ＬＣＤに撮影画像が表示されている状態を示す図である。
【図６】ＬＣＤに詳細設定ダイアログが表示され、非表示設定が選択されている状態を示す図である。
【図７】ＬＣＤに非表示設定ダイアログが表示されている状態を示す図である。
【図８】非表示設定サブルーチンの処理手順を示すフローチャートである。
【図９】非表示設定が行われ、撮影画像の代わりに非表示のメッセージがＬＣＤに表示されている状態を示す図である。
【図１０】ＬＣＤに詳細設定ダイアログが表示され、非表示解除が選択されている状態を示す図である。
【図１１】ＬＣＤに非表示解除ダイアログが表示されている状態を示す図である。
【図１２】非表示解除サブルーチンの処理手順を示すフローチャートである。
【符号の説明】
１０  マイクロコンピュータ
２０  測光スイッチ
３０  レリーズスイッチ
４０  ＣＣＤ
５０  撮影光学系
６０  ＣＤＳ／ＡＤユニット回路
７０  ＲＡＭ
７５  操作ボタンスイッチ群
８０  操作ボタン群
９０  ＳＤカード
１００  ＬＣＤ
１１０  モードスイッチ
【図１】
2004312240.tif 000003
【図２】
2004312240.tif 000004
【図３】
2004312240.tif 000005
【図４】
2004312240.tif 000006
【図５】
2004312240.tif 000007
【図６】
2004312240.tif 000008
【図７】
2004312240.tif 000009
【図８】
2004312240.tif 000010
【図９】
2004312240.tif 000011
【図１０】
2004312240.tif 000012
【図１１】
2004312240.tif 000013
【図１２】
2004312240.tif 000014